(57)【要約】【課題】遊技機枠に表示ユニットを片開き可能に支持するヒンジの強度を高くする。【解決手段】縦片部９１ｃが金属筐体１０６の右側壁１１５に溶接部分９１ｋでスポット溶接されることによって、ヒンジ構造体９１ａが金属筐体１０６に固定的に取り付けられ縦片部９１ｈが金属筐体１０６の右側壁１１５およびに縦片部９１ｃに接触され、上結合片９１ｉが上ヒンジ片９１ｄの上に重ね合わされて上ヒンジ片９１ｄに溶接部分９１ｍでスポット溶接され、下結合片９１ｊが下ヒンジ片９１ｅの下に重ね合わされて下ヒンジ片９１ｅに溶接部分９１ｎでスポット溶接されることによって、補強構造体９１ｂがヒンジ構造体９１ａに固定的に取り付けられている。【選択図】図１
2006340851.tif 000002
【特許請求の範囲】
【請求項１】
光を透過する性質の有る材料からなる前面パネルを有する遊技機枠と、前面パネルの裏側に配置される遊技領域を有して遊技機枠に装着される遊技盤と、遊技盤の遊技領域に設けられた入賞部品と、遊技盤の遊技領域に遊技者に画像を見せるために設けられた画像視認領域と、画像表示器の表示画面に電気的に表示された画像を遊技機枠の前側から前面パネルと遊技盤の画像視認領域とを通して見えるようにかつ遊技盤の裏側に配置されるように遊技機枠にヒンジを中心とし後側に開かれかつ前側に閉じられるように片開き可能に取り付けられた表示ユニットとを備え、ヒンジが遊技機枠に設けられる枠側ヒンジと表示ユニットに設けられる表示側ヒンジとを備え、表示側ヒンジが表示ユニットの画像表示器を格納した金属筐体に設けられた金属製のヒンジ構造体と金属製の補強構造体とから構成されたことを特徴とするパチンコ遊技機。
【請求項２】
入賞部品に入賞した球を検出した入賞信号を出力するために遊技盤に設けられた球検出器と、表示ユニットの裏側に設けられ球検出器から出力された入賞信号の入力に基づき遊技全般の制御処理を行うために表示ユニットの裏面に取り付けられた主制御装置と、主制御装置による制御処理の結果として主制御装置から出力された制御信号の入力に基づき表示ユニットの表示画面に画像を電気的に表示するように表示ユニットを制御するために表示ユニットの裏面に取り付けられた図柄制御装置とを備えたことを特徴とする請求項１記載のパチンコ遊技機。
【発明の詳細な説明】
【技術分野】
【０００１】
本発明は、遊技機枠に表示ユニットを片開き可能に支持するヒンジの強度が高いパチンコ遊技機に関する。
【背景技術】
【０００２】
遊技機には、液晶表示器からなる画像表示器が、遊技機枠に、ヒンジを中心とし後側に開かれかつ前側に閉じられるように片開き可能に取り付けられることが知られている。しかしながら、上軸受と下軸受とが板材を折り曲げただけの構造であるので、画像表示器が開かれた状態において、外力が画像表示器の上方から画像表示器に作用された場合、ヒンジが変形するという欠点がある。
【特許文献１】特開２００２−３４６０３１号公報
【発明の開示】
【発明が解決しようとする課題】
【０００３】
発明が解決しようとする問題点は、画像表示器が開かれた状態において、外力が画像表示器の上方から画像表示器に作用された場合、ヒンジが変形するという点である。
【課題を解決するための手段】
【０００４】
本発明に係るパチンコ遊技機は、光を透過する性質の有る材料からなる前面パネルを有する遊技機枠と、前面パネルの裏側に配置される遊技領域を有して遊技機枠に装着される遊技盤と、遊技盤の遊技領域に設けられた入賞部品と、遊技盤の遊技領域に遊技者に画像を見せるために設けられた画像視認領域と、画像表示器の表示画面に電気的に表示された画像を遊技機枠の前側から前面パネルと遊技盤の画像視認領域とを通して見えるようにかつ遊技盤の裏側に配置されるように遊技機枠にヒンジを中心とし後側に開かれかつ前側に閉じられるように片開き可能に取り付けられた表示ユニットとを備え、ヒンジが遊技機枠に設けられる枠側ヒンジと表示ユニットに設けられる表示側ヒンジとを備え、表示側ヒンジが表示ユニットの画像表示器を格納した金属筐体に設けられた金属製のヒンジ構造体と金属製の補強構造体とから構成されたことを特徴とすることを最も主要な特徴とする。入賞部品に入賞した球を検出した入賞信号を出力するために遊技盤に設けられた球検出器と、表示ユニットの裏側に設けられ球検出器から出力された入賞信号の入力に基づき遊技全般の制御処理を行うために表示ユニットの裏面に取り付けられた主制御装置と、主制御装置による制御処理の結果として主制御装置から出力された制御信号の入力に基づき画像表示器の表示画面に画像を電気的に表示するように画像表示器を制御するために表示ユニットの裏面に取り付けられた図柄制御装置とを備えてもよい。
【発明の効果】
【０００５】
本発明に係る遊技機枠は、表示ユニットがヒンジを中心とし遊技機枠の後側に開かれた状態において、外力が表示ユニットの上方から表示ユニットに作用されても、金属筐体に設けられた金属製のヒンジ構造体が金属製の補強構造体で変形しないように支持できるという利点がある。入賞部品に入賞した球を検出した入賞信号を出力する球検出器が遊技盤に設けられ、球検出器から出力された入賞信号の入力に基づき遊技全般の制御処理を行う主制御装置と主制御装置による制御処理の結果として主制御装置から出力された制御信号の入力に基づき画像表示器の表示画面に画像を電気的に表示するように画像表示器を制御する図柄制御装置とが表示ユニットの裏面に取り付けられれば、主制御装置と図柄制御装置など遊技盤の機種に関係の深い複数の制御装置が、遊技盤に設けられることなく、遊技機枠の裏面に設けられたので、表示ユニットに１７インチのような大形な表示画面を有する表示ユニットを使用し、この大形な表示ユニットが遊技盤に裏側に配置されて遊技者の視覚に訴える遊技性を向上するようにしても、複数の制御装置の設置場所が容易に確保できるという利点がある。
【発明を実施するための最良の形態】
【０００６】
図１乃至図１２は、発明を実施するための最良の形態である。図１のａ図は、表示側ヒンジ９１のヒンジ構造体９１ａと補強構造体９１ｂとを分解して示す、図１のｂ図は、ヒンジ構造体９１ａが金属筐体１０６の右側壁１１５に固定された形態を示す。図１のｃ図は、表示側ヒンジ９１が金属筐体１０６の右側壁１１５に設けられた形態を示す。図２は、遊技機枠１および遊技盤４１の前側からの外観を示す。図３は、可動枠３および見切り構造体１６を分解した前側からの外観を示す。図４は、表示収容構造体１７を開いた可動枠３の裏側からの外観を示す。図５は、可動枠３および表示収容構造体１７を分解した裏側からの外観を示す。図６は、表示ユニット１０５を分解した前側からの外観を示す。図７は、表示ユニット１０５と制御ユニット１５１およびユニット基盤１５２を分解した前側からの外観を示す。図８は、表示収容構造体１７および制御ユニット１５１を分解した裏側からの外観を示す。図９は、複合駆動装置１８８が複合制御装置１８１の裏側に取り付けられた表示ユニット１０５の裏側からの外観を示す。図１０は、複合駆動装置１８８が駆動収容部１３２の裏側に取り付けられた表示ユニット１０５の裏側からの外観を示す。図１１のａ図は、固定具２００を分解した外観を示す。図１１のｂ図は、固定具２００を被取付部材２１６に取り付けた断面を示す。図１２のａ図は、固定具２００を相手側部材２１９に挿入した断面を示す。図１２のｂ図は、固定具２００を相手側部材２１９に取り付けた断面を示す。本明細書において、「前」、「後」、「裏」、「左」、「右」、「上」、「下」の方向は、図２の状態に遊技機枠１および遊技盤４１を置き、矢印Ａで示す前側から見た場合に特定される方向である。「後」と「裏」とは同じ方向である。
【０００７】
図１を参照し、最良の形態に係る最も主要な構造について説明する。図１のａ図に示すように、表示側ヒンジ９１は、金属製のヒンジ構造体９１ａと金属製の補強構造体９１ｂとを備える。ヒンジ構造体９１ａは、縦長な板状の縦片部９１ｃの上部および下部を同じ側に直角に折り曲げて上ヒンジ片９１ｄおよび下ヒンジ片９１ｅを形成し、上ヒンジ片９１ｄおよび下ヒンジ片９１ｅに丸棒状の上ヒンジピン９１ｆおよび下ヒンジピン９１ｇを溶接で一体に結合した構造である。上ヒンジピン９１ｆは、上ヒンジ片９１ｄから下側に向けて突出する。下ヒンジピン９１ｇは、下ヒンジ片９１ｅから下側に向けて突出する。上ヒンジピン９１ｆの上ヒンジ片９１ｄから下側への突出寸法Ｌ１は、下ヒンジピン９１ｇの下ヒンジ片９１ｅから下側への突出寸法Ｌ２より小さい（Ｌ１＜Ｌ２）。このＬ１＜Ｌ２による寸法の関係によって、次のような利点がある。Ｌ１＝Ｌ２に設定してもよいが、Ｌ１＜Ｌ２に設定することによって、図１のｃ図に示すように、表示側ヒンジ９１が金属筐体１０６に取り付けられた状態において、金属筐体１０６を可動枠３に取り付けるために、表示側ヒンジ９１を図５の枠側ヒンジ９０に嵌め込む場合、下ヒンジピン９１ｇを下ヒンジ孔９０ｇに嵌め込んだ後、上ヒンジピン９１ｆを上ヒンジ孔９０ｆに嵌め込むことができるので、Ｌ１＝Ｌ２に設定された場合よりも、表示側ヒンジ９１を図５の枠側ヒンジ９０に嵌め込む作業を容易に行える。
【０００８】
補強構造体９１ｂは、縦長な板状の縦片部９１ｈの上部および下部を同じ側に直角に折り曲げて上結合片９１ｉおよび下結合片９１ｊを形成した構造である。上ヒンジ片９１ｄの上面と下ヒンジ片９１ｅの下面との間による外側上下寸法Ｌ３と、上結合片９１ｉの下面と下結合片９１ｊの上面との間による内側上下寸法Ｌ４とは、同一である（Ｌ３＝Ｌ４）。Ｌ３＝Ｌ４は、上ヒンジ片９１ｄの上面の上に上結合片９１ｉの下面が接触させて重ね合わせられ、下ヒンジ片９１ｅの下面の下に下結合片９１ｊの上面を接触させて重ね合わせられることを目安とする寸法である。これによって、ヒンジ構造体９１ａと補強構造体９１ｂとが互いに組み合わせられる場合、上結合片９１ｉが上ヒンジ片９１ｄの上に重ね合わされ、下結合片９１ｊが下ヒンジ片９１ｅの下に重ね合わされる。
【０００９】
図１のｂ図に示すように、縦片部９１ｃが金属筐体１０６の右側壁１１５に溶接部分９１ｋでスポット溶接されることによって、ヒンジ構造体９１ａが金属筐体１０６に固定的に取り付けられる。図１のｃ図に示すように、縦片部９１ｈが金属筐体１０６の右側壁１１５およびに縦片部９１ｃに接触され、上結合片９１ｉが上ヒンジ片９１ｄの上に重ね合わされて上ヒンジ片９１ｄに溶接部分９１ｍでスポット溶接され、下結合片９１ｊが下ヒンジ片９１ｅの下に重ね合わされて下ヒンジ片９１ｅに溶接部分９１ｎでスポット溶接されることによって、補強構造体９１ｂがヒンジ構造体９１ａに固定的に取り付けられる。よって、図１のｂ図に示した構造と図１のｃ図に示した構造とを対比すると、次のような相違点がある。図１のｂ図に示すように、上ヒンジ片９１ｄおよび下ヒンジ片９１ｅが金属筐体１０６の右側壁１１５から外側に突出したように、ヒンジ構造体９１ａが金属筐体１０６に固定されただけの構造において、上ヒンジピン９１ｆおよび下ヒンジピン９１ｇを支持し、金属筐体１０６の上方から押し下げるような外力が金属筐体１０６に作用した場合、上ヒンジ片９１ｄおよび下ヒンジ片９１ｅが縦片部９１ｃに繋がる隅部を中心として上方に傾斜するように変形しやすい。これに対し、図１のｃ図に示すように、補強構造体９１ｂの上結合片９１ｉおよび下結合片９１ｊがヒンジ構造体９１ａの上ヒンジ片９１ｄおよび下ヒンジ片９１ｅに固定された構造において、上ヒンジピン９１ｆおよび下ヒンジピン９１ｇを支持し、金属筐体１０６の上方から押し下げるような外力が金属筐体１０６に作用したとしても、ヒンジ構造体９１ａにおける上ヒンジ片９１ｄと縦片部９１ｃとを互いに繋げる隅部の延びる方向が、補強構造体９１ｂにおける上結合片９１ｉと縦片部９１ｈを互いに繋げる隅部の延びる方向に直交するように交差し、ヒンジ構造体９１ａにおける下ヒンジ片９１ｅと縦片部９１ｃとを互いに繋げる隅部の延びる方向が、補強構造体９１ｂにおける下結合片９１ｊと縦片部９１ｃとを互いに繋げる隅部の延びる方向に直交するように交差しているので、上ヒンジ片９１ｄおよび下ヒンジ片９１ｅが縦片部９１ｃに繋がる隅部を中心として上方に傾斜するように変形しにくい。つまり、上ヒンジピン９１ｆおよび下ヒンジピン９１ｇを支持し、金属筐体１０６の上方から押し下げるような外力が金属筐体１０６に作用した場合、図１のｃ図に示した構造の方が、図１のｂ図に示した構造よりも、ヒンジ構造体９１ａが補強構造体９１ｂの働きで変形しないという利点がある。また、縦片部９１ｈが金属筐体１０６の右側壁１１５およびに縦片部９１ｃに接触されているので、溶接部分９１ｍ；９１ｎの個数が最低数の１個ずつであっても、ヒンジ構造体９１ａおよび補強構造体９１相互の結合が保持できるという利点がある。
【００１０】
図２を参照し、遊技機枠１を前側から見た構造について説明する。遊技機枠１は、固定枠２の前側に可動枠３を開閉可能に備え、可動枠３の前側に前扉４および球皿構造体５を開閉可能に備える。固定枠２は、遊技機設置構造体に取り付けるための外枠とも呼ばれる。可動枠３は、遊技盤４１、表示ユニット１０５、制御ユニット１５１など遊技に必要な部品を取り付ける前枠とも呼ばれる。可動枠３は、左側に位置するヒンジ６を中心とし、固定枠２の前側で前側に開かれかつ後側に閉じられるように、片開き可能である。前扉４および球皿構造体５は、個別に、左側に位置するヒンジ７を中心とし、可動枠３の前側で前側に開かれかつ後側に閉じられるように、片開き可能である。可動枠３の右側部には、施錠装置８と複数のロック機構９；１０；１１およびロック解除操作体１２が設けられる。
【００１１】
そして、可動枠３が閉じられて固定枠２にロック機構９で開閉不能に支持され、前扉４および球皿構造体５が閉じられて可動枠３にロック機構１０；１１で開閉不能に支持された状態において、遊技店の店員が図外のキープレート（鍵）を遊技機枠１の前側から施錠装置８の鍵穴に挿入し、当該キープレートを例えば右側に９０度回転操作すると、固定枠２と可動枠３とのロック機構９による支持形態が解除される。この支持形態の解除後に、店員が可動枠３を前側に引くことによって、可動枠３はヒンジ６を中心として前側に片開きされる。また、上記施錠装置８の鍵穴に挿入されたキープレートが例えば左側に９０度回転操作されると、可動枠３と前扉４とのロック機構１０による支持形態が解除される。この支持形態の解除後に、店員が前扉４を前側に引くことによって、前扉４はヒンジ７を中心として前側に片開きされる。このように、前扉４が前側に開かれた状態において、店員がロック解除操作体１２を操作すると、可動枠３と球皿構造体５とのロック機構１１による支持形態が解除される。この支持形態の解除後に、店員が球皿構造体５を前側に引くことによって、球皿構造体５はヒンジ７を中心として前側に片開きされる。
【００１２】
可動枠３は、可動枠本体１３、盤収容構造体１４、中央開口部１５、見切り構造体１６、表示収容構造体１７を備える。可動枠本体１３は、前側に開口した縦長な長方形の空間を囲む額縁形状である。盤収容構造体１４は、可動枠本体１３の内側に設けられ、遊技盤４１を可動枠３の前側から装着させるように、前側に開口した形状である。中央開口部１５は、盤収容構造体１４の背壁１８に、前後方向への貫通孔として形成される。見切り構造体１６は、可動枠３の前側から中央開口部１５に挿入され、盤収容構造体１４の前面に取り付けられることで、前後方向に貫通する画像透視開口部１９を形成する。表示収容構造体１７は、盤収容構造体１４の裏側に設けられ、表示ユニット１０５を盤収容構造体１４に前側から格納させるように、前側に開口した形状である。表示ユニット１０５は、可動枠３の裏側において、盤収容構造体１４に格納させる。表示収容構造体１７の裏面には、制御ユニット１５１が設けられる。よって、表示収容構造体１７の裏面は、制御ユニット１５１を取り付けるための遊技機枠１の裏面を構成する。
【００１３】
盤収容構造体１４の右下部には、配線孔２１が、前後方向への貫通孔として設けられる。配線孔２１は、盤収容構造体１４と中央開口部１５と表示収容構造体１７と制御ユニット１５１で囲まれて形成される。盤収容構造体１４には、盤押圧部２２、盤受止部２３、盤ロック操作体２４が設けられる。盤押圧部２２が後側で盤受止部２３が前側となるように、盤押圧部２２および盤受止部２３が盤収容構造体１４の左側部に設けられる。盤押圧部２２は、遊技盤４１を前側に押す板ばねような弾性体である。盤受止部２３は、盤押圧部２２で前側に押された遊技盤４１を受け止める突起である。盤ロック操作体２４は、盤収容構造体１４の右側部に位置し、背壁１８から前側に突出し、背壁１８の前面と平行な方向に回転可能に、背壁１８に設けられる。
【００１４】
盤収容構造体１４の下縁部は、遊技盤４１を搭載する左右方向に平坦な面としての盤棚２５を形成する。盤棚２５から下側に延設された前壁２６の前面には、球発射機構２７、球発射レール２８、戻り球取入口２９、前横樋３０が設けられる。前壁２６の裏面には、機外排出樋３１が設けられる。前扉４は、パネル枠とも呼ばれ、前後方向に貫通する窓３３を囲む額縁形状である。前扉４には、前面パネル３４が、窓３３を覆う格好で、裏面に取り付けられる。球皿構造体５は、球受皿部３５および球発射操作機構３６を、球皿構造体５の前面から前側に突出した形態に備える。球受皿部３５は、遊技に使用する球を受ける上側に開口した上側から下側に窪む容器である。球発射操作機構３６は、遊技者が球を発射するために操作するものである。球皿構造体５の裏面には、球取入口３７および球供給口３８が設けられる。球皿構造体５が閉じられた場合、ロック解除操作体１２、球発射機構２７、球発射レール２８、戻り球取入口２９、前横樋３０は、球皿構造体５で覆い隠される。
【００１５】
遊技盤４１の構造について説明する。遊技盤４１は、周辺飾り構造体４２と板状構造体４３とを備える。周辺飾り構造体４２は、非遊技領域を形成する光を遮断する性質の有る合成樹脂から構成され、丸形開口部４４、内ガイドレール４５、外ガイドレール４６、球発射通路４７、アウト口飾り４８、戻り球防止弁４９、球反発体５０、取付部５１、証紙台５２を備える。丸形開口部４４は、盤収容構造体１４に格納される方形板状の中央に、前後方向への貫通孔として形成される。内ガイドレール４５および外ガイドレール４６は、丸形開口部４４の周縁部に設けられる。球発射通路４７は、内ガイドレール４５の左側部と外ガイドレール４６の左側部との間に位置し、前側開放縦溝形状に形成される。アウト口飾り４８は、アウト口６４を縁取るものであって、内ガイドレール４５における下部弧状側面の最下部から内側に突出する。戻り球防止弁４９は、球発射通路４７の出口に位置し、内ガイドレール４５の端部に取り付けられた板ばねであって、球発射通路４７から遊技領域５６に発射された球の遊技領域５６から球発射通路４７への流入を防止する。
【００１６】
球反発体５０は、ゴムまたは合成樹脂などの弾性を有する材料から形成され、内ガイドレール４５の右端部と外ガイドレール４６の右端部との間に取り付けられ、球発射通路４７から遊技領域５６に発射され球が衝突することによって、当該衝突した球を遊技領域５６の中央部の方向に跳ね返す。取付部５１は、遊技盤４１を遊技機枠１に固定するために、周辺飾り構造体４２の右側の上下部に設けられる。取付部５１には、ロック挿入孔５３が設けられる。証紙台５２は、周辺飾り構造体４２の右側の下部に前後方向に開閉可能に設けられる。証紙台５２が、周辺飾り構造体４２との連結部である図外のヒンジを中心として前方に開かれることによって、下部の取付部５１が、周辺飾り構造体４２の前側から見える格好となる。そして、証紙台５２が上記ヒンジを中心として後方に閉じられて証紙台受部５４で受け止められると、下部の取付部５１が証紙台５２で覆われて周辺飾り構造体４２の前側から見えなくなる。閉じられた証紙台５２の前面には、遊技盤４１の検査に合格して販売の認可を受けたことを示す図外の証紙が、貼り付けられる。
【００１７】
板状構造体４３は、周辺飾り構造体４２で囲まれた内側の遊技領域５６を形成する光を透過する性質の有る合成樹脂から構成される。板状構造体４３の前面である遊技領域５６には、センター飾り５７、一般入賞部品５８、作動入賞部品５９、始動入賞部品６０、可変入賞部品６１、遊技釘６２、風車６３、アウト口６４などの前側部品が設けられる。一般入賞部品５８は、球を遊技領域５６から取り込み、当該取り込んだ球を遊技領域５６の裏側に排出する、取込形である。一般入賞部品５８の内部には、図外の一般入賞球検出器を備える。作動入賞部品５９は、球を遊技領域５６から取り込み、当該取り込んだ球を遊技領域５６の裏側に取り込むことなく、遊技領域５６に排出する、通過形である。作動入賞部品５９の内部には、図外の作動入賞球検出器を備える。始動入賞部品６０は、左右に開閉する一対の羽根６５の下部を中心とし、一対の羽根６５を図外の始動駆動源で左右方向に開閉する電動チューリップと呼ばれる構造である。始動入賞部品６０は、球を遊技領域５６から取り込み、当該取り込んだ球を遊技領域５６の裏側に排出する、取込形である。
【００１８】
始動入賞部品６０の左右一対の羽根６５は、閉じた場合でも、球を受け入れ得る形態、受け入れない形態のいずれでも適用できる。始動入賞部品６０の内部には、図外の始動入賞球検出器を備える。可変入賞部品６１は、横長な長方形状の開閉体６６の下部を中心とし、開閉体６６を図外の可変駆動源で前後方向に開閉するアタッカーまたは大入賞口と呼ばれる構造である。可変入賞部品６１の開閉体６６で閉じたり開かれたりする空洞形状の球受入部の内部には、図外の可変入賞球検出器を備える。可変入賞部品６１の球受入部に取り込まれた球は、可変入賞球検出器を通過した後に遊技盤４１の裏側に排出される。よって、可変入賞部品６１は、取込形である。
【００１９】
センター飾り５７は、光を透過する性質の有る合成樹脂により形成された上側に向けて突出する弧状であって、板状構造体４３の裏面から図外のタッピングスクリューのような止ねじで板状構造体４３の前面に取り付けられる。一般入賞部品５８、作動入賞部品５９、始動入賞部品６０、可変入賞部品６１は、光を遮断する性質の有る合成樹脂により形成された部品であって、板状構造体４３の裏面から図外のタッピングスクリューのような止ねじで板状構造体４３の前面に取り付けられる。遊技釘６２は、真鍮で形成された障害釘とも呼ばれる釘であって、板状構造体４３の前面から内部に打ち込まれる。よって、人が、これらの前側部品を備えた遊技盤４１を前側から見た場合、遊技領域５６における一般入賞部品５８、作動入賞部品５９、始動入賞部品６０、可変入賞部品６１、遊技釘６２で覆われた以外の部分の裏側を視認することができる。遊技盤４１の裏面には、球案内体６７が設けられる。球案内体６７は、セット板や集合樋とも呼ばれ、遊技盤４１の遊技領域５６から一般入賞部品５８、始動入賞部品６０、可変入賞部品６１、アウト口６４を経由して遊技盤４１の裏側に排出された球を下側に誘導するための裏側部品である。
【００２０】
遊技機枠１において、可動枠３が閉じられて固定枠２にロック機構９で開閉不能に支持され、少なくとも、前扉４が可動枠３の前側に片開きされた状態において、遊技盤４１の裏面が遊技機枠１の方に向けられ、遊技盤４１の遊技領域５６が前側に向けられ、遊技盤４１が遊技機枠１の前側から盤収容構造体１４に挿入され、遊技盤４１の下部が盤棚２５の上に載せられ、遊技盤４１の左側部が盤押圧部２２と盤受止部２３との間に挿入されて盤押圧部２２と盤受止部２３とで前後方向から挟まれた後、遊技盤４１の右側部が作業者によって後側に押され、盤ロック操作体２４がロック挿入孔５３に後側から挿入されて前側に突出した状態において、作業者が盤ロック操作体２４を例えば右方向に９０度回転操作すると、盤ロック操作体２４がロック挿入孔５３の周りにおける取付部５１と係合し、遊技盤４１が可動枠３に取り付けられる。遊技盤４１が可動枠３に取り付けられる場合、遊技盤４１の一般入賞球検出器、作動入賞球検出器、始動駆動源、可変入賞球検出器、可変駆動源などの配線は、可動枠３の前側から配線孔２１を経由して可動枠３の裏側に引き出されて、主制御装置１７０に接続される。
【００２１】
遊技盤４１が可動枠３に取り付けられ、前扉４および球皿構造体５が閉じられて可動枠３にロック機構１０；１１で開閉不能に支持され、電源装置７９から供給された電力によって主制御装置１７０、図柄制御装置１７５、複合制御装置１８１、発射払出制御装置８０が起動した状態において、遊技者が球受皿部３５に球を入れて球発射操作機構３６を操作すると、発射払出制御装置８０が球発射機構２７を球発射操作機構３６から出力された操作量に応じた発射力で例えば１分間に１から１００発未満までの所定数の間隔で駆動し、球発射機構２７が球受皿部３５から球供給口３８を経由して発射レールに供給された球を１個ずつ遊技盤４１の球発射通路４７に向けて発射する。この球発射通路４７に発射された球が、球発射通路４７から戻り球防止弁４９を押し開けて遊技領域５６に到達した後に遊技領域５６を流下する過程において、一般入賞部品５８や始動入賞部品６０あるいは可変入賞部品６１に入賞すると、一般入賞部品５８や始動入賞部品６０あるいは可変入賞部品６１に入賞した球が、遊技盤４１の裏側に排出される一方、それぞれの入賞に対応する賞球としての球が、球払出機構８４から球受皿部３５に払い出される。一般入賞部品５８や始動入賞部品６０あるいは可変入賞部品６１に入賞しないで遊技領域５６の最下部に流れた球は、アウト口６４に取り込まれた遊技盤４１の裏側に排出される。電源装置７９、主制御装置１７０、図柄制御装置１７５、複合制御装置１８１、発射払出制御装置８０、球払出機構８４は、図３に示す。
【００２２】
図３を参照し、見切り構造体１６の構造について説明する。見切り構造体１６は、画像透視開口部１９を囲む、上側壁６９と左側壁７０および右側壁７１からなる三方枠の形状である。上側壁６９には、係合部７２が、左右に分かれて、上側壁６９から上方に突出した後に裏側に折り曲がりさらに下側に折り曲がったフック形状に設けられる。左側壁７０の下部、右側壁７１の下部には、取付部７３が、左側壁７０および右側壁７１から下側に突出して個別に設けられる。取付部７３には、ねじ挿入孔７４が、前後方向の貫通孔として設けられる。可動枠３には、見切り構造体１６を取り付けるための、係合孔７４および取付孔７５が設けられる。そして、見切り構造体１６が可動枠３の前側から中央開口部１５に挿入され、係合部７２が係合孔７４に挿入されて係合し、タッピングスクリューのような止ねじ７６が見切り構造体１６の前側からねじ挿入孔７４を経由して取付孔７５に締結され、見切り構造体１６が可動枠３に固定的に取り付けられる。
【００２３】
図４を参照し、可動枠３を裏側から見た構造について説明する。可動枠３の裏側、具体的には、盤収容構造体１４の裏面には、球払出装置７８、電源装置７９、発射払出制御装置８０、枠用外部中継端子装置８１；８２が設けられる。球払出装置７８では、タンク構造体８３が遊技機設置構造体における図外の球補給機構から供給された球を貯蔵した状態において、球払出機構８４の図外のステップモータが発射払出制御装置８０からの出力で一方向に回転駆動すると、球払出機構８４のスプロケットのような払出体８５が球を１個ずつ分離しつつ賞球または貸球として払い出し、球払出機構８４の図外の払出球検出器が払出体８５から払い出された球を電気的に検出して払出球検出信号を主制御装置１７０および発射払出制御装置８０に出力する。球払出機構８４から払い出された球は、縦樋８６と満タン検出機構８７および前横樋３０を経由して球受皿部３５に払い出される。前横樋３０、球受皿部３５は、図２参照。
【００２４】
満タン検出機構８７は、満タン検出機構８７における筐体の内部に図外の満タン検出器を備える。満タン検出器は、球受皿部３５から前横樋３０および満タン検出器まで球が満杯となると、球払出機構８４による払出動作を停止するために、満タン検出器が満杯となった球でオン動作して電気的な満杯検出信号を主制御装置１７０に出力し、満杯検出信号を受信した主制御装置１７０は球払出停止信号を発射払出制御装置８０に出力し、発射払出制御装置８０が球払出機構８４のモータの駆動を停止する。これによって、球払出機構８４による払出動作が停止する。
【００２５】
電源装置７９は、遊技機設置構造体に設けられる島電源装置から供給される２４ボルトの交流電源をパチンコ機に使用する例えば５ボルト、１２ボルト、２４ボルトなどの電圧の直流電源に変換して出力するとともに２４ボルトの交流電源もそのまま出力する機能を備え、盤収容構造体１４の裏側の右側に位置し、前壁２６の裏面に取り付けられる。発射払出制御装置８０は、電源装置７９を裏側から覆うように、前壁２６の裏面に取り付けられる。枠用外部中継端子装置８１は、遊技店の営業を管理するホールコンピュータや主制御装置１７０からの配線を接続するための複数のコネクタを備え、盤収容構造体１４の裏側の上部に位置し、球払出装置７８に取り付けられる。枠用外部中継端子装置８２は、パチンコ機の横に並べられて遊技機設置構造体に設けられるカードサンドと呼ばれる球貸機の制御装置や発射払出制御装置８０からの配線を接続するための複数のコネクタを備え、盤収容構造体１４の裏側の左側に位置し、前壁２６の裏面に取り付けられる。盤収容構造体１４における背壁１８の裏面には、表示ユニット１０５を前側に収納した表示収容構造体１７が開閉可能に設けられる。表示収容構造体１７は、ヒンジ８９を中心とし、盤収容構造体１４の裏側で後側に開かれかつ前側に閉じられるように、片開き可能である。ヒンジ８９は、枠側ヒンジ９０と表示側ヒンジ９１とにより構成される。
【００２６】
図５を参照し、表示収容構造体１７と盤収容構造体１４とを互いに取り付けるための取付構造について説明する。盤収容構造体１４の裏面には、枠側ヒンジ９０、取付部９２、ストッパー９３が設けられる。枠側ヒンジ９０は、金属製であって、縦長な板状の縦片部９０ａから裏側に上折曲部９０ｂおよび下折曲部９０ｃを直角に折り曲げ、上折曲部９０ｂの上部を右側に折り曲げて上ヒンジ片９０ｄを形成し、下折曲部９０ｃの上部を右側に折り曲げて下ヒンジ片９０ｅを形成し、上ヒンジ片９０ｄに上ヒンジ孔９０ｆを上下への貫通孔として設け、下ヒンジ片９０ｅに下ヒンジ孔９０ｇを上下への貫通孔として設けた構造である。縦片部９０ａが盤収容構造体１４に盤収容構造体１４の裏側からタッピングスクリューのような止ねじ９６で固定的に取り付けられることによって、枠側ヒンジ９０が中央開口部１５よりも右部に位置して盤収容構造体１４に固定的に設けられる。取付部９２は、中央開口部１５よりも上部および左下部に位置し、盤収容構造体１４に個別に設けられる。ストッパー９３は、閉じた表示収容構造体１７の上側への移動を規制するものであって、枠側ヒンジ９０よりも上側に位置し、盤収容構造体１４の裏面から裏側に突出し、盤収容構造体１４の裏面に固定的に設けられる。表示収容構造体１７には、表示側ヒンジ９１および取付部９９が設けられる。
【００２７】
そして、表示側ヒンジ９１の下ヒンジピン９１ｇが枠側ヒンジ９０の下ヒンジ孔９０ｇに上側から嵌め込まれ、表示側ヒンジ９１の上ヒンジピン９１ｆが枠側ヒンジ９０の上ヒンジ孔９０ｆに上側から嵌め込まれることによって、表示収容構造体１７が盤収容構造体１４の裏側に取り付けられる。その状態において、表示ユニット１０５における画像表示器１０７の表示画面１２３が見切り構造体１６の画像透視開口部１９の方向に向くように、表示収容構造体１７が矢印Ｘ１方向に閉じられるのに伴い、表示収容構造体１７における表示ユニット１０５の前面よりも前側に突出する部分が、見切り構造体１６における盤収容構造体１４よりも裏側に突出した部分を外側から囲むように、見切り構造体１６に嵌め込まれ、ストッパー９３の真下に配置され、固定具１０３が取付部９２に装着されることによって、表示収容構造体１７が盤収容構造体１４に固定される。このように表示収容構造体１７が盤収容構造体１４の裏側に固定的に取り付けられると、表示ユニット１０５の前面が、可動枠３の前側から画像透視開口部１９を通して視認可能となる。表示ユニット１０５を表示収容構造体１７に収納した形態は、画像表示装置として概念できる。
【００２８】
図６を参照し、表示ユニット１０５の構造について説明する。表示ユニット１０５は、金属筐体１０６、画像表示器１０７、保護パネル１０８、金属フレーム１０９を備える。金属筐体１０６は、画像表示器１０７の裏面と対応する方形な筐体基盤１１１の周囲から上側壁１１２、下側壁１１３、左側壁１１４、右側壁１１５を前側に直角に折り曲げ、画像表示器１０７および金属フレーム１０９を金属筐体１０６の前側から格納させるように、前側に開口した形状である。上側壁１１２、下側壁１１３、左側壁１１４、右側壁１１５は、相互に結合される。金属筐体１０６には、軽量化孔１１６、表示駆動覆部１１７、コネクタ用孔１１８、放熱用孔１１９、表示側ヒンジ９１、取付部１２０、ねじ挿入孔１２１、受止部１２２が設けられる。軽量化孔１１６は、金属筐体１０６の重さを軽くするためのものであって、筐体基盤１１１の中央部に位置し、前後方向への貫通孔として、筐体基盤１１１に形成される。表示駆動覆部１１７は、筐体基盤１１１の右側部に位置し、筐体基盤１１１から後側に突出し、表示駆動回路部１２５を金属筐体１０６の前側から格納させるように、前側に開口した形状である。コネクタ用孔１１８および放熱用孔１１９は、表示駆動覆部１１７に、前後方向への貫通孔として形成される。取付部１２０は、下側壁１１３の左右に位置し、下側壁１１３から下側に直角に折り曲げられた板状である。取付部１２０には、ねじ挿入孔１２１が、前後方向への貫通孔として設けられる。受止部１２２は、左側壁１１４の上下に位置し、左側壁１１４から左側に直角に折り曲げられた板状である。
【００２９】
画像表示器１０７が液晶表示器の場合、バックライトや導光部材および拡散部材などのような画像表示器１０７の表示画面１２３を全体的に照明するバックライト機構部材が、画像表示器１０７に含まれる。画像表示器１０７の表示画面１２３には、保護パネル１０８が、接触かつ重ね合わされて設けられる。保護パネル１０８は、ガラスまたは合成樹脂などの光を透過する性質の有る材料からなる板状である。画像表示器１０７および保護パネル１０８の周囲は、金属フレーム１０９で支持される。金属フレーム１０９で囲まれた前開口部１２４には、保護パネル１０８の前面が露出する。表示画面１２３に表示された画像は、金属フレーム１０９の前側から、前開口部１２４および保護パネル１０８を経由して視認可能となる。画像表示器１０７の裏面には、表示駆動回路部１２５およびコネクタ１２６が、画像表示器１０７の裏面から裏側に突出して設けられる。表示駆動回路部１２５は、画像表示器１０７が表示画面１２３に画像を表示し得るように画像表示器１０７を起動したり、バックライトを点灯したりする電気部品である。
【００３０】
そして、金属筐体１０６の前面と画像表示器１０７の裏面とが互いに向かい合わされ、画像表示器１０７が金属筐体１０６の前側から内部に格納され、金属筐体１０６の内面と金属フレーム１０９の外面とが互いに接触して、画像表示器１０７と保護パネル１０８および金属フレーム１０９からなる構造体が金属筐体１０６の内部に装着される。これによって、表示ユニット１０５が図７に示す形態に組み立てられる。
【００３１】
図７を参照し、表示収容構造体１７の前側から見た構造、表示ユニット１０５の表示収容構造体１７への取り付け方、ユニット基盤１５２の前側から見た構造について説明する。表示収容構造体１７は、表示ユニット１０５の裏面と対応する方形な収容基盤１２７の周囲から上側壁１２８、下側壁１２９、左側壁１３０、右側壁１３１を前側に直角に折り曲げ、表示ユニット１０５を表示収容構造体１７の前側から格納させるように、前側に開口した形状である。上側壁１２８、下側壁１２９、左側壁１３０、右側壁１３１は、相互に結合される。表示収容構造体１７には、取付部９９、固定具１０３、駆動収容部１３２、受止部１３３、取付部１３４、コネクタ用孔１３５、延設部１３６、切欠部１３７；１３８、逃部１３９、残渣孔１４０が設けられる。上側壁１２８に設けられた取付部９９は、上側壁１２８の前縁部から上側に突出する。下側壁１２９と左側壁１３０との隅部に設けられた取付部９９は、下側壁１２９左壁の前縁部から上側および左側壁１３０の前縁部から右側に突出する。固定具１０３は、取付部９９に、表示収容構造体１７の後側から個別に装着される。
【００３２】
駆動収容部１３２は、収容基盤１２７の右側部に位置し、表示駆動覆部１１７を表示収容構造体１７の前側から格納させるように、収容基盤１２７から裏側に窪み、収容基盤１２７の前面に開口する。受止部１３３は、上側壁１２８の前縁部から下側に突出し、左右に分かれて、上側壁１２８に設けられる。駆動収容部１３２には、配線孔１４１が設けられる。取付部１３４は、収容基盤１２７の下部に位置し、左右に分かれて、収容基盤１２７から前側に突出し、収容基盤１２７に設けられる。取付部１３４には、ねじ結合孔１４２が、取付部１３４の前面から内部への窪みとして、取付部１３４に設けられる。コネクタ用孔１３５は、収容基盤１２７の左側に位置し、収容基盤１２７に前後方向への貫通孔として設けられる。延設部１３６は、収容基盤１２７の下縁部から下側に突出し、右部に位置し、収容基盤１２７に設けられる。切欠部１３７は、下側壁１２９に設けられる。切欠部１３８は、左側壁１３０に設けられる。逃部１３９は、表示側ヒンジ９１を表示収容室から表示収容構造体１７の外側に突出するためのものであって、右側壁１３１に設けられる。残渣孔１４０は、表示収容構造体１７を合成樹脂で形成するための成形型における収容基盤１２７の裏面に基盤取付部を形成するための可動中子を抜き取った跡の孔であって、収容基盤１２７の下部に位置し、左右に分かれて、収容基盤１２７の前後方向への貫通孔として、収容基盤１２７に設けられる。
【００３３】
表示ユニット１０５を表示収容構造体１７に取り付ける場合、表示収容構造体１７の前面と画像表示器１０７の裏面とが互いに向かい合わされ、表示ユニット１０５の上縁部が表示収容構造体１７の前側から収容基盤１２７と受止部１３３との間に嵌め込まれ、表示ユニット１０５が表示収容構造体１７の内部に収容され、表示駆動覆部１１７が駆動収容部１３２に取り込まれ、取付部１２０が取付部１３４の前部に嵌め込まれ、タッピングスクリューのような止ねじ１４３が、表示ユニット１０５の前側からねじ挿入孔１２１を経由してねじ結合孔１４２に締結されることによって、表示ユニット１０５が表示収容構造体１７に固定的に取り付けられる。このように表示ユニット１０５が表示収容構造体１７に取り付けられた場合、コネクタ１２６がコネクタ用孔１３５に配置される（図８参照）。
【００３４】
ユニット基盤１５２は、基盤本体１５３、上延設部１５４、下延設部１５５、膨出部１５６、固定具１５７、係合部１５８を備える。基盤本体１５３は、表示収容構造体１７の収容基盤１２７と対応する方形である。上延設部１５４は、基盤本体１５３の上縁部から上側に突出し、基盤本体１５３の右部に位置し、基盤本体１５３に設けられる。下延設部１５５は、基盤本体１５３の下縁部から下側に突出し、基盤本体１５３の中央部および右部にわたって位置し、基盤本体１５３に設けられる。膨出部１５６は、基盤本体１５３の前面から裏側に突出し、基盤本体１５３の下部に位置し、基盤本体１５３に設けられる。膨出部１５６には、空間部が、基盤本体１５３の前面に開口し、基盤本体１５３の前面から裏側に窪む形状形成される。係合部１５８は、基盤本体１５３の下縁部から下側に突出し、下延設部１５５よりも右部および左部に分かれて、基盤本体１５３に設けられる。固定具１５７は、基盤本体１５３の上部に位置し、左右に分かれて、基盤本体１５３の裏側から基盤本体１５３に装着される。
【００３５】
図８を参照し、表示収容構造体１７および制御ユニット１５１を裏側から見た構造、制御ユニット１５１の表示収容構造体１７への取り付け方、主制御装置１７０と図柄制御装置１７５および複合制御装置１８１のユニット基盤１５２への取り付け方について説明する。表示ユニット１０５のコネクタ１２６は、図柄制御装置１７５における図外のコネクタに配線で接続される。表示収容構造体１７は、収容基盤１２７に、取付部１４５；１４７および係合部１４６；１４８を備える。取付部１４５は、収容基盤１２７の裏面から裏側に筒状に突出し、上部に位置し、左右に分かれて、収容基盤１２７に設けられる。係合部１４６は、収容基盤１２７の裏面から裏側に突出し、残渣孔１４０と対応し、左右に分かれて、上側に開口し、上側から下側への窪みとして、収容基盤１２７に設けられる。取付部１４７は、駆動収容部１３２の裏面から裏側に筒状に突出し、駆動収容部１３２に設けられる。係合部１４８は、配線孔１４１の下縁部により形成される。
【００３６】
ユニット基盤１５２は、基盤本体１５３に、取付部１６０；１６２；１６４；１６６；、係合部１６１；１６３；１６５、配線クランプ１６７を備える。取付部１６０は、膨出部１５６の裏面から裏側に筒状に突出し、右部に位置し、収容基盤１２７に設けられる。係合部１６１は、膨出部１５６の裏面から裏側に突出し、右部に位置し、上側および左側を開口し、下側および右側を閉鎖した溝として、収容基盤１２７に設けられる。取付部１６２は、収容基盤１２７の裏面から裏側に筒状に突出し、上部に位置し、左右に分かれて、収容基盤１２７に設けられる。係合部１６３は、膨出部１５６の上棚部１６８に位置し、左右に分かれて、上下方向への貫通孔として、収容基盤１２７に設けられる。取付部１６４は、収容基盤１２７の裏面から裏側に筒状に突出し、上部に位置し、左右に分かれて、収容基盤１２７に設けられる。係合部１６５は、膨出部１５６の上棚部１６８に位置し、左右に分かれて、上下方向への貫通孔として、収容基盤１２７に設けられる。取付部１６６は、収容基盤１２７の裏面から裏側に筒状に突出し、中央部に位置し、収容基盤１２７に設けられる。配線クランプ１６７は、収容基盤１２７の裏面から裏側に突出した二股クランプとして、取付部１６６の上部および下部に分かれ、膨出部１５６の上部の左右に分かれて、収容基盤１２７に設けられる。
【００３７】
主制御装置１７０、図柄制御装置１７５、複合制御装置１８１、複合駆動装置１８８は、互いに別体である。主制御装置１７０は、光を透過する性質の有る合成樹脂からなる主制御筐体の内部に、ＣＰＵ、ＲＯＭ、ＲＡＭ、インタフェース、コネクタなど制御に必要な電気部品の実装された回路基板を格納し、主制御筐体を開閉不能に封止した構造である。コネクタは、図柄制御筐体に形成されたコネクタ用孔から図柄制御筐体の裏側に突出する。主制御装置１７０は、取付部１７１および係合部１７２を備える。取付部１７１は、主制御筐体の右部から右側に突出し、主制御筐体に設けられる。取付部１７１には、固定具１７３が設けられる。係合部１７２は、主制御筐体の左部から左側に突出し、主制御筐体に設けられる。そして、係合部１７２がユニット基盤１５２の裏側から係合部１６１に嵌め込まれて下側および裏側に離脱しないように係合され、固定具１７３が取付部１６０に押し込まれることによって、主制御装置１７０がユニット基盤１５２における膨出部１５６の裏面に固定的に取り付けられる（図９参照）。
【００３８】
図柄制御装置１７５は、光を透過する性質の有る合成樹脂からなる図柄制御筐体の内部に、ＣＰＵ、ＲＯＭ、ＲＡＭ、インタフェース、コネクタなど制御に必要な電気部品の実装された回路基板を格納した構造である。コネクタは、図柄制御筐体に形成されたコネクタ用孔１１８から図柄制御筐体の裏側に突出する。図柄制御装置１７５は、取付部１７６および係合部１７７を備える。取付部１７６は、図柄制御筐体の上部から上側に突出し、左右に分かれて、図柄制御筐体に設けられる。取付部１７６には、ねじ挿入孔１７８が、前後方向への貫通孔として設けられる。係合部１７７は、図柄制御筐体の下部から下側に突出し、左右に分かれて、図柄制御筐体に設けられる。そして、係合部１７７がユニット基盤１５２の裏側から係合部１６３に嵌め込まれて下側および裏側に離脱しないように係合され、タッピングスクリューのような止ねじ１７９がねじ挿入孔１７８から取付部１６２に締結されることによって、図柄制御装置１７５がユニット基盤１５２における上部の裏面に左側に位置し固定的に取り付けられる（図９参照）。
【００３９】
複合制御装置１８１は、光を透過する性質の有る合成樹脂からなる複合制御筐体の内部に、ＣＰＵ、ＲＯＭ、ＲＡＭ、インタフェース、コネクタなど制御に必要な電気部品の実装された回路基板を格納した構造である。コネクタは、複合制御筐体に形成されたコネクタ用孔から複合制御筐体の裏側に突出する。複合制御装置１８１は、取付部１８２と係合部１８３；１８４およびリブ１８５を備える。取付部１８２は、複合制御筐体の上部から上側に突出し、左右に分かれて、複合制御筐体に設けられる。取付部１８２には、ねじ挿入孔１８６が、前後方向への貫通孔として設けられる。係合部１８３は、図柄制御筐体の下部から下側に突出し、左右に分かれて、複合制御筐体に設けられる。係合部１８４およびリブ１８５は、図柄制御筐体の裏面から裏側に突出し、複合制御筐体に設けられる。そして、係合部１８３がユニット基盤１５２の裏側から係合部１６５に嵌め込まれて下側および裏側に離脱しないように係合され、タッピングスクリューのような止ねじ１８７がねじ挿入孔１８６から取付部１６４に締結されることによって、複合制御装置１８１がユニット基盤１５２における上部の裏面に右側に位置し固定的に取り付けられる（図９参照）。
【００４０】
複合駆動装置１８８は、複合制御装置１８１を起動する電気部品であって、光を透過する性質の有る合成樹脂からなる複合駆動筐体の内部に、複合制御装置１８１を動作するのに必要な電気部品やコネクタの実装された回路基板を格納した構造である。コネクタは、複合駆動筐体に形成されたコネクタ用孔から複合駆動筐体の裏側に突出する。複合駆動装置１８８は、取付部１８９および係合部１９０を備える。取付部１８９は、複合駆動筐体の右部から右側に突出し、複合制御筐体に設けられる。取付部１８９には、固定具１９２が設けられる。係合部１９０は、図柄制御筐体の左部から右側に突出し、上下に分かれて、複合制御筐体に設けられる。そして、複合駆動装置１８８の複合駆動筐体が複合制御装置１８１の裏側から上側のリブ１８５と下側のリブ１８５との間に挟まれるように挿入され、係合部１９０が複合制御装置１８１の裏側から係合部１８４に嵌め込まれて下側および裏側に離脱しないように係合され、固定具１９２が取付部１６６に押し込まれることによって、複合駆動装置１８８が複合制御装置１８１の裏側に重なり合ってユニット基盤１５２における上部の裏面に右側に位置し固定的に取り付けられる（図９参照）。上延設部１５４の裏面には、盤用外部中継端子装置１９３が、図外の止ねじで、ユニット基盤１５２の裏側から取り付けられる。盤用外部中継端子装置１９３には、遊技店の営業を管理するホールコンピュータや主制御装置１７０からの配線を接続するための複数のコネクタを備える。
【００４１】
図９において、主制御装置１７０、図柄制御装置１７５、複合制御装置１８１、複合駆動装置１８８、盤用外部中継端子装置１９３を相互に接続する配線は、主制御装置１７０、図柄制御装置１７５、複合制御装置１８１よりも裏側に突出しないように、主制御装置１７０と図柄制御装置１７５との間の隙間、図柄制御装置１７５と複合制御装置１８１との間の隙間、主制御装置１７０と複合制御装置１８１との間の隙間、主制御装置１７０と駆動収容部１３２との間の隙間に配置され、配線クランプ１６７でユニット基盤１５２の裏面に取り付けられる。主制御装置１７０、図柄制御装置１７５、複合制御装置１８１、複合駆動装置１８８が、ユニット基盤１５２に取り付けられた場合、主制御装置１７０、図柄制御装置１７５、複合制御装置１８１、複合駆動装置１８８、盤用外部中継端子装置１９３、図４に示す電源装置７９、発射払出制御装置８０、枠用外部中継端子装置８１；８２が相互に配線で接続される。主制御装置１７０、図柄制御装置１７５、複合制御装置１８１、複合駆動装置１８８が、ユニット基盤１５２に取り付けられた状態において、人が、固定具１９２をユニット基盤１５２の裏側に引っ張って取付部１６６が取り外した後、複合駆動装置１８８を上側に持ち上げて係合部１９０を係合部１８４から取り外す。そして、人が、上記取り外した複合駆動装置１８８の前面をユニット基盤１５２の裏面と平行としたまま、係合部１９０が下側となり、固定具１９２が上側となるように、複合駆動装置１８８を回転した後、係合部１９０をユニット基盤１５２の裏側から配線孔１４１に挿入して係合部１４８に係合し、固定具１９２を取付部１４７に押し込むことによって、複合駆動装置１８８が図１０に示すように駆動収容部１３２の裏面に重なり合って固定的に取り付けられる。よって、遊技機製造会社からパチンコ機が出荷される場合は、複合駆動装置１８８を図９に示すように複合制御装置１８１の裏側に配置し、遊技店でパチンコ機が使用される場合は、複合駆動装置１８８を図１０に示すように駆動収容部１３２の裏側に配置して、パチンコ機が遊技店の遊技機設置構造体に設置された場合、制御ユニット１５１が遊技機設置構造体に設けられた紙幣搬送機構などの付帯設備と干渉することを防止することができる。
【００４２】
最良の形態によれば、金属筐体１０６がヒンジ構造体９１ａおよび補強部材９１ｂからなる表示側ヒンジ９１と枠側ヒンジ９０とで可動枠３に取り付けられているので、表示収容筐体１７、画像表示器１０７、制御ユニット１５１などの複数の構成部材が金属筐体１０６に組み付けられても、ヒンジ構造体９１ａが補強構造体９１ｂの働きで変形しないという利点がある。また、表示側ヒンジ９１および金属筐体１０６が互いに別々に形成され、表示側ヒンジ９１が金属筐体１０６に取り付けられているので、金属筐体１０６を表示側ヒンジ９１よりも板厚の薄い金属板により形成し、金属筐体１０６を軽量にすることができるという利点がある。
【００４３】
図１１のａ図を参照し、図８に示した固定具１０３；１５７；１７３；１９２に相当する固定具２００の構造について説明する。固定具２００は、係合具２０１と操作具２０２とを備える。係合具２０１および操作具２０２は、互いに別々に形成される。係合具２０１は、前後方向に貫通する中心孔２０３を有する円筒本体２０４の一端部に受部２０５を備え、円筒本体２０４の他端部に掛止部２０６を備える。受部２０５は円筒本体２０４の一端部より軸心方向の一方の外側に開口する皿状である。受部２０５と掛止部２０６との間における円筒本体２０４の外周面は、受部２０５の外径と掛止部２０６の外径との双方よりも細い、くびれ部２０７として形成される。掛止部２０６は、割溝２０８によって、周方向に独立した複数の片持ち梁のような弾性片として形成される。割溝２０８は、掛止部２０６の他端部とくびれ部２０７との間を、軸心方向と直径方向とに切り欠かれる。掛止部２０６を構成する各弾性片の中心孔２０３を囲む内面には、突起２０９が、軸心方向に向けて突出する。
【００４４】
操作具２０２は、棒本体２１１の一端部に鍔２１２とくびれ部２１３と摘み２１４とを備え、棒本体２１１の他端部に係合溝２１５を備える。棒本体２１１は、受部２０５の方向から中心孔２０３に挿入されるとともに、中心孔２０３に挿入された場合に突起２０９を中心孔２０３の径方向外側に押して掛止部２０６を押し広げる、太さである。鍔２１２は、棒本体２１１の外径よりも大きな外径であって、受部２０５における周壁で囲まれた内部に取り込まれる大きさである。くびれ部２１３は、鍔２１２から同軸状に突出し、鍔２１２と摘み２１４との双方よりも細い。摘み２１４は、摘み２１４から同軸状に突出し、くびれ部２１３と鍔２１２との双方よりも太い円盤形状である。
【００４５】
図１１のｂ図を参照し、固定具２００が被取付部材２１６に取り付けられた構造について説明する。被取付部材２１６は、図８に示す取付部９９；１７１；１８９やユニット基盤１５７に相当する。被取付部材２１６には取付孔２１７が形成される。そして、係合具２０１のくびれ部２０７が、被取付部材２１６の取付孔２１７に嵌め込まれることによって、受部２０５と掛止部２０６とが、取付孔２１７の周囲における被取付部材２１６を挟む格好となり、係合具２０１が、被取付部材２１６に取り付けられ、掛止部２０６が被取付部材２１６の表面２１８より突出する。そして、操作具２０２の棒本体２１１が、係合具２０１の受部２０５の方向から中心孔２０３に挿入されることによって、係合溝２１５が、突起２０９に嵌め込まれた格好となり、操作具２０２が、係合具２０１に取り付けられる。これによって、固定具２００が被取付部材２１６に取り付けられる。
【００４６】
図１２のａ図を参照し、被取付部材２１６に固定具２００が相手側部材２１９に取り付けられる構造について説明する。相手側部材２１９は、図５に示す盤収容構造体１４、図８に示す表示収容構造体１７やユニット基盤１５７に相当する。相手側部材２１９には取付孔部２２０が筒状に突出する。そして、固定具２００の掛止部２０６が、取付孔部２２０の内部孔２２１に挿入され、被取付部材２１６の表面２１８と取付孔部２２０の表面２２２とが互いに接触する。
【００４７】
次に、図１２のｂ図に示すように、人が、操作具２０２の摘み２１４を矢印Ｘ２で示す方向に押すことによって、上記突起２０９と係合溝２１５との嵌まり合いが解除され、棒本体２１１が中心孔２０３の内部を奥に進入する。これに伴い、棒本体２１１の外周面が、突起２０９を中心孔２０３の径方向外側に押して、掛止部２０６を押し広げる。この押し広げられた掛止部２０６が、取付孔部２２０を径方向外側に突っ張るように、取付孔部２２０に接触する。これによって、固定具２００が取付孔部２２０に押し込まれた形態となり、被取付部材２１６が、相手側部材２１９に、固定具２００で、取り付けられる。
【００４８】
このように被取付部材２１６が、相手側部材２１９に、固定具２００で、取り付けられた状態において、人が、操作具２０２の摘み２１４を矢印Ｘ３で示す方向に引くことによって、棒本体２１１が中心孔２０３の奥から手前に後退する。これに伴い、上記棒本体２１１の外周面による突起２０９に対する中心孔２０３の径方向外側への押し力が弱くなり、掛止部２０６が自身の弾性によって径方向内側に復帰し、突起２０９が係合溝２１５に嵌まり込み、掛止部２０６が取付孔部２２０から離れ、図１２のａ図の状態になる。これによって、固定具２００と取付孔部２２０との係合が解除された形態となり、人が被取付部材２１６を支持して相手側部材２１９から離れる方向に移動すると、固定具２００の装着されたままの被取付部材２１６が相手側部材２１９から取り外される。
【産業上の利用可能性】
【００４９】
ヒンジ構造体９１ａにおける縦片部９１ｃ、上ヒンジ片９１ｄ、下ヒンジ片９１ｅと補強構造体９１ｂとを金属からなる単体として形成し、この金属からなる単体の上ヒンジ片９１ｄおよび下ヒンジ片９１ｅに上ヒンジピン９１ｆおよび下ヒンジピン９１ｇを接合してもよい。ヒンジ構造体９１ａを金属筐体１０６と別に形成するのではなく、ヒンジ構造体９１ａの縦片部９１ｃを金属筐体１０６の右側壁１１５と看做し、上ヒンジ片９１ｄおよび下ヒンジ片９１ｅを右側壁１１５から切り起こすように折り曲げて形成し、これの上ヒンジ片９１ｄおよび下ヒンジ片９１ｅに、金属筐体１０６と別に形成した補強構造体９１ｂの上結合片９１ｉ、下結合片９１ｊをスポット溶接などで接合してもよい。
【図面の簡単な説明】
【００５０】
【図１】ａ図は表示側ヒンジを示す分解斜視図、ｂ図はヒンジ構造体を金属筐体に固定した斜視図、ｃ図は表示側ヒンジを金属筐体に取り付けられた斜視図（最良の形態）。
【図２】遊技機枠および遊技盤を示す分解斜視図（最良の形態）。
【図３】可動枠および見切り構造体を示す分解斜視図（最良の形態）。
【図４】表示収容構造体を開いた可動枠を示す斜視図（最良の形態）。
【図５】可動枠および表示収容構造体をら示す分解斜視図（最良の形態）。
【図６】表示ユニットを示す分解斜視図（最良の形態）。
【図７】表示ユニットと表示収容構造体およびユニット基盤を示す分解斜視図（最良の形態）。
【図８】表示収容構造体および制御ユニットを示す分解斜視図（最良の形態）。
【図９】複合駆動装置が複合制御装置の裏側に取り付けられた表示ユニットを示す斜視図（最良の形態）。
【図１０】複合駆動装置が駆動収容部の裏側に取り付けられた表示ユニットを示す斜視図（最良の形態）。
【図１１】ａ図は固定具を示す分解斜視図、ｂ図は固定具を被取付部材に取り付けた形態を示す断面図（最良の形態）。
【図１２】ａ図は固定具を相手側部材に挿入した形態を示す断面図、ｂ図は固定具を相手側部材に取り付けた形態を示す断面図（最良の形態）。
【符号の説明】
【００５１】
１      遊技機枠
３４    前面パネル
５６    遊技領域
４１    遊技盤
５８    一般入賞部品（入賞部品）
５９    作動入賞部品（入賞部品）
６０    始動入賞部品（入賞部品）
６１    可変入賞部品（入賞部品）
４３    板状構造体（画像視認領域）
１０５  表示ユニット
１５１  制御ユニット
１５２  ユニット基盤
１７０  主制御装置
１７５  図柄制御装置
【図１】
2006340851.tif 000003
【図２】
2006340851.tif 000004
【図３】
2006340851.tif 000005
【図４】
2006340851.tif 000006
【図５】
2006340851.tif 000007
【図６】
2006340851.tif 000008
【図７】
2006340851.tif 000009
【図８】
2006340851.tif 000010
【図９】
2006340851.tif 000011
【図１０】
2006340851.tif 000012
【図１１】
2006340851.tif 000013
【図１２】
2006340851.tif 000014